(57)【特許請求の範囲】
【請求項１】
複数の患者用の部屋及び/又は当該部屋にある機器のきれい又は汚れている状態に関する情報を収集する複数の室内ユニットであって、前記室内ユニットは各々、前記部屋に置かれると共に、消毒するのに適切な時間、表面上に洗浄液が存在しているのを検知することにより、前記患者用の部屋の表面及び/又は当該部屋にある機器の表面のきれいさを測定するように構成される１つ以上のセンサを有する、当該複数の室内ユニット、及び
前記室内ユニットからきれい又は汚れている状態の情報を受信して、どの部屋がきれいであり、患者を受け入れる準備ができているか、どの部屋が汚れている状態であり、清掃を必要とするか、及びどの部屋が占有されているか、を判断する監視局、
を有する部屋監視システム。
【請求項２】
少なくとも、どの部屋が清掃を待っているか、どの部屋が清掃中であるか、どの部屋が清掃されたか、及び手の空いている清掃従業員のリストを表示するハウスキーピングユニット、をさらに有する請求項１に記載の部屋監視システム。
【請求項３】
前記監視局から患者の待ち情報及び部屋の状態の情報を受信し、待っている患者と利用可能なきれいな部屋とを照合させるベッド割り当てユニット、をさらに有する請求項１又は２に記載の部屋監視システム。
【請求項４】
前記室内ユニットは各々、
清掃仕様を記憶するメモリ、及び
前記センサからの入力を受信し、前記センサからの入力から、前記記憶した清掃仕様が満たされたかを判断する処理器を有する請求項１乃至３の何れか一項に記載の部屋監視システム。
【請求項５】
前記室内ユニットは各々、
部屋にいる患者のＩＤを感知するセンサ、及び
各々の機器がきれい又は汚れているかを感知するセンサを有し、
監視システム制御器は前記機器を、汚れていると感知した機器が前記感知した患者のＩＤと関連付けられたままであるとき、使用中と分類し、及び前記機器が感知した患者のＩＤと関係が断たれたとき、汚れていると分類する、請求項１乃至４の何れか一項に記載の部屋監視システム。
【請求項６】
前記監視局は、前記各々の機器がきれい又は汚れているかを感知する前記センサの状態を変更することができる請求項１乃至５の何れか一項に記載の部屋監視システム。
【請求項７】
前記監視局は、
１つ以上の部屋の各々にある１つ以上のセンサから部屋の状態の情報を受信し、
前記１つ以上の部屋の各々にある前記１つ以上のセンサから受信した前記部屋の状態の情報から前記１つ以上の部屋の各々に対する状態を決定し、
前記１つ以上の部屋の各々の状態を中央表示装置に表示し、及び
１つ以上の部屋が汚れている状態であるとの判断に応じて、清掃従業員に通知する
ようにプログラムされる又はその手段を有する制御器、を含む請求項１乃至６の何れか一項に記載の部屋監視システム。
【請求項８】
前記監視局は、前記複数の患者用の部屋及び/又は当該部屋にある機器に関する、きれい又は汚れている状態の情報を入力するように構成されるユーザインタフェースを有する請求項１乃至７の何れか一項に記載の部屋監視システム。
【請求項９】
前記部屋監視システムが、表示装置を有し、前記監視局は、前記患者用の部屋及び/又は当該部屋にある機器の状態を表示している、前記複数の部屋の各々に対するチェックリストを少なくとも表示するように前記表示装置を制御するようにプログラムされる又は制御する手段を有する処理器を備える制御器を有する、請求項１乃至８の何れか一項に記載の部屋監視システム。
【請求項１０】
前記患者用の部屋の一部及び当該部屋にある機器の状態を表示する表示装置、並びに
前記１つ以上のセンサからきれい又は汚れている状態の情報を受信して、前記部屋がきれいで、患者を受け入れる準備ができているか、前記部屋が汚れていて、清掃を必要とするか、及び前記部屋が占有されているかの１つを決定し、並びに前記センサからの前記情報を前記監視局に転送する制御器を有する請求項１乃至９の何れか一項に記載の部屋監視システムに使用するための室内ユニット。
【請求項１１】
１つ以上の医用部屋の各々にある１つ以上のセンサから部屋の状態の情報を受信するステップであって、前記１つ以上のセンサが、前記部屋に置かれると共に、消毒するのに適切な時間、表面上に洗浄液が存在しているのを検知することにより、前記患者用の部屋の表面及び/又は当該部屋にある機器の表面のきれいさを測定する、当該受信するステップ、
前記１つ以上の医用部屋の各々にある前記１つ以上のセンサから受信される前記部屋の状態の情報から、前記１つ以上の医用部屋の各々に対する状態を決定するステップ、
前記１つ以上の部屋の各々の状態を表示装置に表示するステップ、並びに
１つ以上の医用部屋が汚れている状態であるとの判断に応じて、清掃従業員に通知するステップを有する、１つ以上の医用部屋の状態を表示する方法。
【請求項１２】
前記１つ以上の医用部屋の各々にある前記１つ以上のセンサの各々の状態を表示している、前記１つ以上の医用部屋の各々に対するチェックリストを表示するために、部屋の表示装置及び中央表示装置の少なくとも１つを制御するステップ、をさらに有する請求項１１に記載の方法。
【請求項１３】
移動式の医療機器を追跡するセンサを用いて、前記部屋にある前記移動式の医療機器が滅菌／消毒のために前記部屋を離れたかどうかを判断するステップ、をさらに有する請求項１１乃至１２の何れか一項に記載の方法。
【請求項１４】
１つ以上の部屋がきれいな状態であるとの判断に応じて、患者が移動することが可能であることを承認する人間に知らせるステップ、
部屋がきれいな状態になるまでの残りの時間の見積もりを表示する、又は清掃中の状態の部屋のために、前記１つ以上の部屋の各々にある前記１つ以上のセンサの各々の状態を表示している、前記１つ以上の部屋の各々に対するチェックリストを表示するステップをさらに有する請求項１１乃至１３の何れか一項に記載の方法。
【請求項１５】
部屋との関係が断たれている患者のＩＤに応じて、前記部屋及び当該部屋にある機器の各々を汚れている状態と分類するステップ、をさらに有する請求項１１乃至１４の何れか一項に記載の方法。
【請求項１６】
部屋に関連付けられる移動式の機器又は清掃ユニットに送られる患者のＩＤに応じて、移動式の機器を前記汚れている状態と分類するステップ、さらに有する請求項１１乃至１５の何れか一項に記載の方法。
【発明の詳細な説明】
【技術分野】
【０００１】
本発明は、医療環境における部屋又は機器がきれい又は汚れているかを電子的に判断するためのネットワーク、システム又は方法に関する。本発明は、部屋をきれいにするワークフローを改善及び最適化すること、並びに病院環境内のきれいな部屋に患者を配置することに特に有用であることが分かり、それらを特に参照して説明される。しかしながら、本発明は、看護師室、診療室、他の医療状況、ホスピタリティ施設等にも応用可能であることも分かる。
【背景技術】
【０００２】
現在では、患者の介護レベルが変化するので、患者は適切なユニットにあるきれいな部屋が利用可能になるまで、病院内のあまり最適ではないユニット内に保たれる。この時間中、必要とされる介護の基準を提供するための病院のリソースはストレスを受けている。ベッドが利用可能になるのを待っている一方、新しい患者を受け入れる病院の能力は限られる。患者が他のユニットに移動した後、空いた、使用した又は汚れている部屋は、効率的に占有される、又はきれいにされるまで新しい入居者に対し少なくとも利用不可能にする。部屋がきれいになる効率が増大することは、利用可能なベッドの数、故に患者の処理量が増大する。部屋をきれいにしたときでさえも、部屋が新しい患者に利用可能であることを知るための承認が遅い。
【発明の概要】
【発明が解決しようとする課題】
【０００３】
部屋を清掃し、部屋はきれいであると示すことは一般に手動で行われる。多くの表面がきれいにされなければならない。ここに使用されるように、"清掃及びきれい"という言葉は、汚れ及び汚染微生物数を取り除くことを意味し、殺菌、消毒、滅菌並びに他の汚れ及び汚染微生物数除去技術を含んでいる。清掃従業員が表面をきれいに又は消毒するのを忘れる場合、それはしばしば視覚的に見えない。さらに、表面を消毒することは一般に、最低限の時間、消毒薬に触れる必要がある。清掃従業員が表面を清掃するのが早すぎる、又は消毒薬の効力が失われる場合、消毒されたと信じられる表面は、許容できないほど高い汚染微生物数を実際に持っていることがある。現在は、全ての医療装置は、製造業者の推薦に従ってきれいにされる必要があるが、しかしながら多くの場合において、これは行われていないか又はエンドユーザが製造業者のラベルに従っているかを判断する方法がないかの何れかである。加えて、これら医療装置の全ては、製造業者の推薦に従ってきれいにされた場合でさえ、医療機器がきれいになったことをエンドユーザが手動で示す場合に限り、承認は部屋がきれいになり、新しい患者が利用可能であることを知る。
【課題を解決するための手段】
【０００４】
本出願は、上述した問題及びその他を克服する、部屋の利用可能性を最適化するための新しい及び改善したシステムを提供する。
【０００５】
ある態様によれば、部屋監視システムが提供される。複数の室内ユニットは、複数の患者用の部屋及び/又はその部屋にある機器のきれい又は汚れている状態に関する情報を収集する。部屋監視局は、室内ユニットからきれい又は汚れている状態の情報を受信し、どの部屋がきれいで、患者を受け入れる準備ができているか、どの部屋が汚れていて、清掃を必要とするか、並びにどの部屋が占有され、患者のＩＤの変化に基づいてきれい／よごれているのトランザクションを作成するか、を判断する。
【０００６】
他の態様によれば、１つ以上の医用部屋の状態を表示する方法が提供される。部屋の状態の情報は、前記１つ以上の医用部屋の各々にある1つ以上のセンサから受信される。前記１つ以上の医用部屋の各々にある１つ以上のセンサから受信される部屋の状態の情報から、前記1つ以上の医用部屋の各々に対する状態が決定される。前記１つ以上の部屋の各々の状態が表示装置に表示される。１つ以上の医用部屋が汚れている状態であるとの判断に応じて、清掃従業員に通知される。
【０００７】
他の態様によれば、ユーザは、機器が十分きれいになることを保証するために、規定の材料を用いて及び規定の期間、この機器を適切にきれいにすると共に、この機器を壊していないことを検証するための方法が提供される。
【０００８】
他の態様によれば、患者のＩＤ及びベッドの位置により、どの患者にどの機器が使用されているかの機器監視システムの知識に基づいて汚れている部屋又は機器をきれいな部屋又は機器に変換するための必要を検知するための方法が提供される。
【０００９】
１つの利点は、部屋又は機器が効率的に清掃及び消毒されるという改善される保証にある。
【００１０】
他の利点は、改善される清掃効率にある。
【００１１】
他の利点は、改善される患者の処理量にある。
【００１２】
他の利点は、移動式の装置（すなわち部屋に置いておかない装置）のきれい／汚れている状態を追尾する機能にある。
【００１３】
以下の詳細な説明を読み、理解すると、本発明のさらに他の利点が当業者に分かるだろう。
【００１４】
本発明は、様々な構成要素及び構成要素の配列、並び様々なステップ及びステップの配列の形式をとることができる。図面は単に好ましい実施例を説明することだけを目的としてあり、本発明を限定するとは考えるべきではない。
【図面の簡単な説明】
【００１５】
【図１】部屋監視システムの概略図。
【図２】中央局のインタフェースの実施例。
【図３】室内ユニットの表示装置の実施例。
【図４】部屋監視システムの制御器の動作のフローチャート。
【図５】部屋監視システムの動作のフローチャート。
【発明を実施するための形態】
【００１６】
図１を参照すると、複数の室内ユニット２は、現在の患者及び清掃の情報を収集し、このきれい／汚れている情報を中央局４に伝達する。ベッド割り当てユニット６は、この中央局から部屋の状況の情報を受信し、患者の待ち情報を入力及び受信し、オペレータが又は自動的に待っている患者と利用可能な部屋との照合を可能にする。中央局４は、部屋の状況の情報、特に清掃を必要とする汚れている部屋の情報をハウスキーピングユニット８にも伝達する。清掃すべき汚れている部屋のリストは、待っている患者の要求に基づいて優先順位が付けられてもよい。中央局４は、以下に説明されるような別個のユニットとすることができる、又はベッド割り当てユニット６又はハウスキーピングユニット８と組み合わされてもよい。
【００１７】
各々の部屋は、その部屋に位置決められる１つ以上のセンサ１０を有し、これらセンサは、医療機器、患者用ベッド、カウンター、他の表面等のきれいさを測定し、対応する室内ユニット２に対する、きれいさを示す清掃情報を発生させる。ある実際例において、電気化学装置は、部屋の表面又は医療若しくは医用機器に取り付けられる又は埋め込まれ、その表面が適切な時間、例えば表面を消毒するための時間、適切な化学洗浄剤に曝されたかを感知する。この電気化学装置は、この情報を装置又は表面のＩＤと一緒に室内ユニット２に送り、この室内ユニット２は、中央監視局４に情報を伝達する。電気化学装置は、表面がきれいである若しくは汚れているかの何れかであることを清掃従業員若しくは他の従業員に知らせるために、視覚的に色を変化させたり又は記号(symbology)を示したりしてもよい。
【００１８】
他の実施例において、カメラ１２、動き検知器、ＩＲスタッフ追尾システム、建物内ワイヤレス室内電話用三角測量ユニット、ＧＰＳユニット等は、部屋が適切にきれいにされたかを検知するのに使用される。カメラ１２、動き検知器、ワイヤレス電話用三角測量ユニット、ＧＰＳユニット等は、清掃従業員が汚れている部屋にいた、又はその部屋をきれいにするのに十分な量の適切な時間、その部屋の各部分にいたかどうかを検知する。ある実施例において、カメラ１２は、清掃サービスの衣装を着た人間が装置を適切にきれいにするのに必要な時間、その部屋にいたかどうかを検知するのに使用されてもよい。
【００１９】
他の実施例において、センサ１０は、２枚の電極板の間に取り付けられる不均一導電性マトリックスパッチを含む。これら電極板にかかる電圧又は電流は、結果生じる抵抗若しくはインピーダンスの測定が行われるように変更されることができる。この不均一導電性マトリックスパッチは、消毒剤溶液にさらされる期間にわたり前記マトリックスのキャパシタンス及びインピーダンスを変化させる。ある実施例において、前記システムは、適切な洗浄／消毒剤溶液が使用されたかを判断する。他の実施例において、前記センサ１０は、前記装置に接している洗浄液でこすっているとき、この装置に適切な量の力が加えられたかを判断するために使用される圧力出力信号を持つ。例えば、前記システムは、このシステムが正しい洗浄液が前記表面に加えられたかを判断することができる一方、洗浄液をこする又は拭いている間、適切な量の圧力が加えられたかも確認するように、比較マトリックスを用いて得られる洗浄液の標識(signature)を、記憶される基準の標識と比較するためのロジックを有する。センサ１０が規定の洗浄液に適切にさらされていると一旦検出すると、適切な時間に適切な力を用いて、前記センサは、電子信号を処理器２４又は中央監視局に送り、ここで、洗浄液のスペクトル及び加えられる圧力を、室内ユニット４３又は中央局４１（図示せず）のローカルメモリに記憶される製造業者の推薦と比較することにより、この装置はきれいであると断言するための判断が行われる。
【００２０】
カメラは、部屋のきれいさを検知するように具現化されてもよい。このカメラ１２は、部屋の医療機器、ベッド等の現在の写真を撮り、室内ユニット２又は中央局４に含まれる写真を前記医療機器がきれい又は汚れているかを判断するために、きれいな又は仕上がった状態の同じ医療機器、ベッド等の写真と比較する。他の実施例において、カメラ１２は、きれいな又は汚れている状態を示すために、その様相（例えば色又は標識）が変化する電気化学装置を撮像する。他の実施例において、前記電気化学装置がカメラ１２により見られるＩＲ出力を持つ。この電気化学装置が前記機器は汚れていると感知するとき、清掃従業員が呼び出される。
【００２１】
他の実施例において、前記センサ１０は、特定の部屋に恒久的には割り当てられない移動式の医療機器に基づいて清掃情報も発生させることができる。ある実施例において、移動式の医療機器ユニット３は、この移動式の医療機器に取り付けられる１つ以上のセンサ１０から清掃情報を収集する。この移動式の医療機器ユニット３は、この清掃情報を中央監視局４又は室内ユニット２に伝達する。これらセンサ１０は、部屋を出たり入ったり又は病院中を移動したりするように、医療機器のＩＤ又は患者のＩＤの変化を追跡するＲＦ追跡ユニットを含んでもよい。ＲＦ追尾を使用することにより、センサ１０は、移動式の医療機器が清掃中に部屋から移され、別の機器が持ち込まれるか追跡する。他の実施例において、前記移動式の医療機器のセンサ１０は、患者のＩＤを移動式の医療機器に割り当てることに基づいて清掃情報を生成する。他の実施例において、異なる機器は、滅菌ユニット又はハウスキーピングユニットから直接その部屋に来た、それにより部屋に持ち込まれた医療機器は実際きれいであることを示すことを確認するために追跡される。医療施設の他の部分にあるセンサは、移動式の医療機器が再利用されることなく消毒ユニット又はハウスキーピングユニットに行くことを確認するために最近部屋を離れた移動式の医療機器を追跡することもできる。この追跡は、部屋に割り当てられた機器がきれいであるか又は汚れているかを判断する。他の実施例において、センサ１０は、そのアイテムの表面が汚れているか（又はきれいであるか）を示すのに使用（又は清掃）されるとき、その色が変化する移動式の医療機器上に比色標識を含む。その色は、手動により又はカメラ１２を用いて確認されることができる。他の実施例において、センサ１０は、上述したようなワイヤレスの電気化学装置又は不均一導電性マトリックスパッチを含む。もちろん、他のセンサ１０が移動式の医療機器と関連付けられることができる、及び上述したセンサ１０の全てが如何なるときにも前記移動式の医療機器と関連付けられている必要はない。
【００２２】
他の実施例において、センサ１０は、医療機器を患者のＩＤに割り当てること又はこの医療機器の割り当てを別の患者に変更することに基づいて清掃情報を生成する。例えば、室内ユニット２又は医療機器が患者監視装置又は関連付けられる患者のＩＤを記憶する装置である場合、センサ１０は、この医療機器に患者のＩＤを割り当てることを示す情報を生成することができる。患者のＩＤは、ベッド割り当てユニット６により室内ユニット２又は医療機器に自動的に割り当てられる、室内ユニット６又は医療機器において医療従事者により手動で入力される、部屋又は患者と関連付けられる他の医療機器により自動的に割り当てられる等ができる。他の実施例において、センサ１０は、室内ユニット６又は医療機器に割り当てられる患者のＩＤの変更、室内ユニット６又は医療機器から生体信号を受信、室内ユニット６又は医療機器に割り当てられる患者のＩＤが別の室内ユニット６又は医療機器に割り当てられていることの検知等に基づいて清掃情報を生成する。
【００２３】
他の例として、きれいな機器が部屋に持ち込まれたとき、この部屋にいる患者のＩＤが自動的にその機器に割り当てられる。この機器がきれいでない又は他の患者のＩＤが割り当てられている場合、警告が発せられる。反対に、患者がクリーンルームに入るとき、センサ１０の１つが患者のＩＤを読み取るか、又は割り当てられる患者のＩＤが中央ユニットから受信され、しかもその患者のＩＤはその部屋にある全ての機器に割り当てられる。一度機器にＩＤが割り当てられると、その機器は、割り当てられたＩＤを持つ人間だけが使用可能である。他の患者全てに対し、前記機器は汚れている、その機器を使用するための他の患者による如何なる試みも汚れている警告となる。
【００２４】
部屋の中にあるセンサ１０は、清掃情報を室内ユニット２のローカルバッファ１６に報告する。このバッファ１６は、部屋のセンサ１０により測定される清掃情報及び患者ＩＤの情報のための収集点として働き、これらデータのための一時的な記憶装置を提供する。ある実施例において、室内ユニット２は各々の部屋と恒久的に関連付けられる壁掛け式モニターのような常設の備品である。センサ１０とローカルバッファ１６との間にある通信リンクは、ワイヤレス、有線若しくはそれらの組み合わせでもよい。同様に、センサ１０はソーラーバッテリーにより給電されてもよく、ホスト装置、外部ＡＣ電源又はそれらの組み合わせから電力を入力してもよい。
【００２５】
ローカルバッファ１６は、中央監視局４と通信する。処理器２４は、きれい／汚れている状態を判断することができる。代わりに、未処理の清掃情報が常に、調査されるとき定期的に等で通信されることができ、前記きれい／汚れている判断は前記中央局で行われる。幾つかのセンサ１０、例えば電気化学装置は、常にデータを伝達してもよいし、他のセンサ１０、例えば機械でこするのを検知するための加速度計は、清掃情報の測定及び伝達を開始するためのトリガを含んでもよい。バッファ１６と中央監視局４との間にある通信リンクは、ワイヤレス、有線若しくは両方を組み合わせたものでもよい。バッファ１６が常設の備品に組み込まれる場合、バッファ１６と中央監視局４との間の通信リンクは、有線、例えば標準的なイーサーネットネットワークのケーブルでもよい。
【００２６】
室内ユニット２は、ユーザが表示装置１８に表示されるデータを見る及び/又は操作することを可能にするユーザインタフェース又は表示装置１８も含んでいる。入力部２０は、別個の構成要素である、又は例えばタッチスクリーンモニターを備える表示装置１８に組み込まれることができる。ある実施例において、医療機器、部屋の領域、部屋自身等の各々のきれい／汚れている状態は、ユーザ入力部２０を使用することにより手動で入力されることができる。他の実施例において、部屋の状態は、その部屋にあるスイッチ又は物理的信号を送る装置を使用することにより手動で入力されることができる。もちろん、他の手動入力装置２０がこの部屋と関連付けられることができ、上述した手動入力装置２０の全てがいつでもその部屋と関連付けられる必要はない。他の実施例において、室内ユニット２はＰＤＡ、ＰＣ、タブレットＰＣ等である。
【００２７】
インタフェース表示装置１８は、部屋の清掃プロトコルに従って行われる仕事のチェックリストを表示することもできる。清掃従業員は、例えばタッチスクリーン１８を用いて、行われる各仕事をチェック済みにすることができる。センサ１０がこれら仕事の何れかを照合する場合、表示装置１８は、その仕事が満足に行われなかった、例えば"表面が完全に消毒されていない"ことを示すことができる。ある実施例において、室内ユニット２は、部屋の状態を判断するために、センサ１０及び入力部２０から入力される清掃情報を評価するための処理器又は制御器２４も含んでいる。この処理器又は制御器２４は、バッファ１６、表示装置１８、入力部２０、中央局との通信等を制御することもできる。
【００２８】
中央局４において、制御器２２は、中央監視局４が担当している部屋のバッファ１６から清掃情報を受信する。中央局制御器２２は、室内ユニット２から受信した清掃情報を評価し、各々の部屋の状態を判断する。ある実施例において、室内ユニット２は、この部屋の状態を判断するために、センサ１０及び入力部２０から受信した清掃情報を評価するための処理器又は制御器２４も含んでいる。患者が部屋を離れるとき、その患者のＩＤをその部屋から取り除くことは、自動的にその部屋にある全ての機器に汚れているとマーキングさせる。その部屋に与えられる状態は、汚れている状態、きれいな状態、清掃中の状態、占有された又は割り当てられた状態等を含む。汚れている状態を与えられた部屋は、清掃を必要とする部屋を表している。前記医療機器の幾つかがきれいにされたとしても、部屋又は機器が完全にきれいになってなく、依然として汚れを含んでいる、適切に消毒されなかった、規定の基準又はメーカの推奨まできれいにならなかった等の場合、汚れている状態が依然として割り当てられる。きれいな状態は、新しい患者を受け入れる準備ができている部屋に割り当てられる、すなわち医療機器及び部屋の全てがきれいであり、滅菌された部屋に割り当てられる。清掃中の状態は、その部屋が清掃従業員により現在清掃されていることを示す。患者がその部屋に割り当てられる又は現在占有しているとき、その部屋は占有された状態を割り当てられる。制御器２２は、適切にプログラムされたコンピュータ又は処理器２６、この処理器２６により利用されるソフトウェア等を含んでもよい。制御器２２は次いで、この部屋の状態をハウスキーピングユニット８及び承認(admitting)ユニット６に送り、表示装置２８に各部屋に対する部屋の状態を表示するように中央監視局４の表示装置２８を制御する。ある実施例において、制御器２２は、これら部屋の各々に設けられる室内ユニット２の表示装置１８も制御する。この室内ユニットの表示装置１８、ハウスキーピングユニットの表示装置３４及び/又は中央監視局の表示装置２８は、その部屋と関連付けられる医療機器の状態と同じく、医療機器が置かれている部屋の現在の状態を表示する。ある実施例において、前記中央局４は、比色標識、視感色彩、記号又は部屋若しくは医療機器のタグと関連付けられる物と同じく、部屋又は医療機器の状態を変更してもよい。
【００２９】
ユーザインタフェース及び部屋の状態のデータを交換することを可能にするために、中央監視局４は、例えばドロップダウンメニューのような各部屋に対するユーザインタフェース３０及び入／出力（Ｉ／Ｏ）部も含んでいる。ユーザインタフェース３０は、例えばタッチスクリーン表示装置のような表示装置上に表示される各部屋のデータを見る及び/又は操ることをユーザに可能にする。代わりに、中央監視局は任意に、ユーザが入力を可能にするためのキーパッド、キーボード、タッチ式スクリーン又は他のユーザ入力装置（図示せず）を組み込んでいる。ある実施例において、ユーザインタフェース３０は、個々の医療機器に手動で状態を割り当てるのと同じく、ユーザが表示装置２８において特定の部屋に特定の状態を規定することも可能にする。ユーザインタフェース３０は、ユーザが、特定の部屋に清掃従業員を割り当てる、病院の人間にマニュアルのメッセージを送る、プロトコルを調節する、システムメンテナンス、医療機器に対するプロトコルを変更する、部屋の変更等を可能にする。
【００３０】
評価ユニット３２は、各々の室内ユニット２からの清掃情報を評価し、これら部屋の各々の状態を判断する。例えば、この評価ユニット３２は、状態、測定値又はセンサ１０及び部屋に対応する入力部２４の各々から入力されるようなものをチェックする。前記センサ１０又は他の入力の全てが前記機器の全て及び部屋はきれいで、消毒されていることを示す場合、部屋はきれいな状態であると与えられる。汚れている状態は、医療機器又は部屋の少なくとも１つを感知する１つ以上のセンサ１０が汚れている何らかの部屋に与えられる。評価ユニット３２は、適切にプログラムされたコンピュータ又は処理器、この処理器等により供給されるソフトウェアを含んでもよい。
【００３１】
他の実施例において、処理器又は制御器２２は、病院内の部屋が占有された又は汚れている状態を割り当てられるべきかを判断する。ある実施例において、制御器２２は、医療機器又は部屋がきれいである又は汚れているときを判断するのに使用される承認ユニット６からの情報を受信する。この承認ユニットは、患者が行く場所及び部屋の清掃に関して優先順位を決める。前記監視システムは、きれい／汚れている状態でハウスキーピングシステムを更新し続ける。患者が病院内の別の部屋に移動するとき、室内センサ１０、医療機器の一方を介して、又は承認ユニット６を用いて制御器２２は、別の部屋の場所において患者のＩＤの使用を検知する。新しい場所で患者のＩＤを検知することに関して、制御器２２は、以前に占有していた部屋に汚れている状態を割り当てる。制御器２２はさらに、患者のＩＤが現在検知される又は割り当てられる部屋に占有された状態を割り当てる。この患者のＩＤは、患者がその部屋にいる又はその部屋に入るとき、患者のＩＤのブレスレット、タグ等から室内ユニット８に直接送信される。他の実施例において、制御器２２は、特定の医療機器がその機器及び患者のＩＤにあるきれい／汚れているタグからきれいにされる必要があるか判断する。一度患者が機器に割り当てられる又はその機器の使用を始めると、その機器のタグは、医療機器は汚れていると示す。しかしながら、同じＩＤ、つまり同じＩＤだけが検出される限り、その状態は占有された状態である医療機器と関連付けられる、すなわちその機器は再分類されず、清掃のために義務が取り除かれる。患者が医療機器との関係が断たれるとき、状態は汚れているに変更される。他の実施例において、制御器は、患者のＩＤが既定の時間、例えば製造業者からの推奨される清掃スケジュールに従って、前記機器と関連付けられた後、その機器の状態を汚れているに変更することができる。他の実施例において、制御器２２は、どの医療機器が患者のＩＤに割り当てられているか又は割り当てられていないかを判断する。医療機器が患者のＩＤに割り当てられているとの判断に応じて、医療機器のタグが占有された状態に変更される。患者のＩＤを割り当てられていない医療機器に属するタグは、汚れている状態に変更される。他の実施例において、患者のＩＤを割り当てられた医療機器は、既定の時間にわたる医療機器の割り当てに応じて、占有された状態から汚れている状態に変更される。
【００３２】
他の実施例において、制御器２２は、部屋が汚れている状態を割り当てられたとき、清掃従業員に通知する。この通知は、表示装置上の視覚的通知、テキストメッセージ、音声メッセージ、テキストページ、ＳＭＳ、ｅメール、音声アラーム等を含む。例えば、ハウスキーピングユニット８の表示装置３４は、どの部屋が清掃を待っているか、どの部屋が清掃中であるか、どの部屋がきれいになったか等を示す。制御器２２は、患者が待っている部屋が最初にきれいにされるように、表示装置３４に優先順位を付けることもできる。優先順位は、部屋を待っている患者の状態に基づくこともできる。ハウスキーピングユニット８は、スタッフデータベース（図示せず）とインタフェースで連係して、適切なハウスキーパー又は清掃従業員を汚れている部屋に割り当てる、及び彼らにメッセージを送る又は警報を鳴らすことができる。
【００３３】
制御器２２は、病院内の特定の部屋がきれいな状態を割り当てられ、新しい患者を受け入れる準備ができているという通知を承認ユニット又はベッド割り当て局６にも供給する。ある実施例において、通信ユニット３６は、部屋がきれい又は汚れている状態を割り当てられたとき、適切な人間に通知する。この通信ユニット３６は、適切にプログラムされたコンピュータ又は処理器２６、この処理器２６により利用されるソフトウェア等を含んでもよい。承認ユニット６は、部屋の状態、施設の一部にある部屋から別の部分に移動するために待っている患者、部屋を待っている患者の情報等を示す表示装置３８を含む。承認ユニット６は、それを用いて部屋を待っている患者の情報が受信される、自動的に部屋の割り当てが行われる、移動が要求される、機器が各々の患者若しくは部屋に割り当てられる又は割り当てられない等の入力部４０も含んでいる。
【００３４】
制御器２２は、処理器２６、例えば操作を実行するための部屋監視ソフトウェアを実施するように構成されるマイクロプロセッサ及び任意に部屋監視ソフトウェアも含む。通例、部屋監視ソフトウェアは、メモリ４１又はコンピュータ読み取り可能媒体に記憶され、前記処理器により実施される。コンピュータ読み取り可能媒体の形式は、例えばハードディスクドライブ、ＣＤ−ＲＯＭ、ＤＶＤ−ＲＯＭ等のようなメモリ４１を含んでいる。この処理器２８の他の実施も考えられる。表示制御器、特定用途向け集積回路（ＡＳＩＣ）及びマイクロ制御器は、処理器２６の機能を提供するように実施される他の形式の構成要素の説明的実施例である。処理器２６、ハードウェア又はそれらの何らかの組み合わせにより実施するソフトウェアを用いて実施例が実施されてもよい。
【００３５】
上述したように、制御器２２は、前記表示装置２８、３４、３８の１つ以上を様々な室内ユニット２から受信した清掃情報から決められる様々な部屋における部屋の状態を表示すように指示する。ここで図２を参照すると、ある実施例において、ベッド割り当て局にある承認ユニットの表示装置３８は、複数の部屋(Room)４２及びこれらの部屋４２の各々に関連付けられる状態(Status)４４を表示する。この又は類似の表示装置が中央局４に設けられてもよい。図２には５つの部屋４２が示されているが、例えば多目的部屋(utility room)等のような患者用の部屋以外の部屋と同じく、より多くの又はより少ない部屋４２も考えられる。ベッド割り当て局当たりの部屋４２の数は、表示装置のサイズ、部屋４２の数及び他の要因により決められることができる。示されるように、各々の部屋の場所４６及び状態４４が表示される。状態バー４４は、対応する部屋４２の状態の表示を含んでいる。この状態バー４４は、異なる状況の各々に対し、異なる色の背景又は視覚的に警告する様相を含んでもよい。例えば、汚れている状態は赤い背景で表示され、きれいな状態は緑色の背景で表示され、清掃中は青色の背景で表示され、及び使用中の状態は白色の背景で表示されてもよい。他の実施例において、間取り図は、その部屋の状態を示す色で表示された部屋の各々を用いて表示される。
【００３６】
ある実施例において、追加の情報が状態４４と一緒に表示される。占有された状態を割り当てられた部屋は、その部屋に関連付けられる患者の情報を表示してもよい。その部屋は新しい患者を受け入れる準備ができていることを示すメッセージ５０がきれいな状態を割り当てた部屋に対し表示されてもよい。清掃中の状態を割り当てられた部屋は、その部屋がきれいになるまでの時間見積もり５２を含んでもよい。前記制御器は、清掃情報及び清掃プロトコルからこの時間見積もりを計算し、医療機器が適切にきれいになるときを判断する。例えばメモリ４１にある、各々の医療機器、清掃業務等の適切な清掃時間のルックアップテーブルは、その部屋の全てがきれいな状態を与えられるまでの適切な時間を計算するのに使用される。リアルタイムの清掃チェックリスト５４が部屋の何れかと共に表示されてもよい。ある部屋と関連付けられる各々の医療機器５６から受信される清掃情報は、清掃従業員が掃除中に、彼らがその部屋にある各々の医療機器５６の個々の状態５８を分かるように表示されてもよい。このチェックリスト５４は、表示装置３８と共にポップアップとして、又は表示装置３８において広げたウィンドウとして置かれてもよい。
【００３７】
ある実施例において、ベッド割り当ての表示装置３８は、患者の待ちリスト６０を含んでもよい。このリストは、名前又は患者のＩＤ６２、場所６４及び患者の種類に対する治療を専門とする特定治療ユニット内の利用可能な部屋を待っている患者にとって適切なユニット６６を含んでもよい。他の実施例において、ベッド割り当ての表示装置３８は、新しい患者が現在利用可能である部屋６８のリストを含んでいる。利用可能である部屋６８のリストは、これらの部屋の各々の場所(loc.)７０及びユニット(unit)７２を含んでもよい。他の実施例において、手が空いている清掃スタッフ７４のリストが表示されてもよい。幾つかの事例において、ある一定の清掃従業員だけが特定の装置を清掃することが可能である。このシステムは、適切な資格を持つ清掃従業員が汚れている部屋をきれいな部屋に変えるのに適切な仕事への注意喚起がなされることを保証することができる。手が空いている清掃スタッフ７４のリストは、病院内にある部屋の場所７８と同じく、汚れている状態を割り当てられた部屋を清掃するために手が空いている人間のリストを含んでもよい。部屋の状態と同じく、手が空いている清掃スタッフ７４のリストが前記ハウスキーピングユニット８の表示装置３４上に表示されてもよい。
【００３８】
ユーザが部屋の状態のデータとインタフェースで連係し、このデータを交換することを可能にするために、ベッド割り当ての表示装置３８は、例えばタッチセンサ式のドロップダウンメニュー８０のようなユーザインタフェース８０又は各々の部屋に対する入／出力（Ｉ／Ｏ）部８０を含んでもよい。このユーザインタフェース８０は、例えばタッチスクリーンディスプレイのような表示装置３８上に表示される各部屋４２のデータをユーザが見る及び/又は操ることを可能にする。代わりに、承認ユニットは、キーパッド、キーボード、タッチ式スクリーン又はユーザ入力を可能にするための他のユーザ入力装置（図示せず）を任意に組み込んでいる。ある実施例において、ユーザインタフェース８０は、手動で個々の医療機器５６に状態を割り当てることと同じく、表示装置３８において、特定の部屋４２の特定の状態４４を規定することも可能にする。このユーザインタフェース８０はユーザに、清掃従業員を特定の部屋に割り当てること、病院の人間にマニュアルのメッセージを送ること、プロトコルを調節すること、システムのメンテナンス等も可能にする。
【００３９】
図３は、室内ユニットにある室内の表示装置１８の実施例を示す。この室内表示装置１８は、この部屋８４と関連付けられる医療機器８８の状態８６と同じく、この部屋８４の現在の全体的な状態を表示する。この部屋と関連付けられる機器がその部屋にある必要はない。例えば、殺菌又は消毒状態にある、又はその状態への若しくはその状態からの途中でもよい。ある実施例において、室内の表示装置１８は、清掃従業員を支援するために、その部屋にある医療機器８８の現在の状況８６を表示する清掃チェックリスト９０と同じく、この部屋８４の現在の全体的な状況８２を表示する。ユーザが部屋の状態のデータとインタフェースで連係し、このデータを交換することを可能にするために、表示装置に加え、室内ユニットは、ユーザインタフェース１８、２０又は各々の部屋８４に対する入出力（Ｉ／Ｏ）部を含む。部屋のインタフェースは、キーパッド、キーボード、タッチ式スクリーン又はユーザ入力を可能にするための他のユーザ入力装置２０を任意に組み込んでもよい。ある実施例において、ユーザインタフェース１８、２０はユーザに、完了した清掃作業を手動で入力するのと同じく、表示装置１６において、その部屋に関連付けられる特定の医療機器８８に対し特定の状態８６を規定することも可能にする。ユーザインタフェース２０はユーザに、部屋のチェックリスト９０に新しい医療機器又は清掃作業を加えることも可能にする。ある実施例において、消毒機器を一回使用した後、この機器の状態は、汚れているに変更される。前記中央局は、ハウスキーピングユニットの対応する表示装置にこの汚れている機器を取り除くために誰かを呼びださせる。
【００４０】
図４は、部屋監視システムの制御器の核となる動作を説明する。ステップ９４において、室内ユニットは、部屋に置かれる１つ以上のセンサから清掃情報を受信する。ステップ９６において、中央監視局は、室内ユニットから受信した清掃情報に基づいて、この部屋に対する状態を決定する。この部屋の状態は、ステップ９８において表示装置に表示される。ステップ１００において、前記中央監視局は、この部屋がきれいない状態を割り当てられるか判断する。部屋がきれいな状態であるに応じて、ステップ１０２において、ベッド割り当てユニットは新しい患者がその部屋の中に入ることができることを通知される。この部屋がきれいな状態であると割り当てられない場合、ステップ１０４において、中央監視局はこの部屋が現在きれいにしている状態を割り当てられるか判断する。現在きれいにしている状態を割り当てる部屋であるに応じて、ステップ１０６において、リアルタイムの清掃チェックリスト又はこの部屋がきれいになるまでの時間見積もりが表示される。この部屋が現在きれいにしている状態であると割り当てられない場合、ステップ１０８において、中央監視局はこの部屋が汚れている状態を割り当てられるか判断する。部屋が汚れている状態であるに応じて、ステップ１１０において、清掃従業員はその部屋が汚れていて、清掃する準備ができていることを通知される。この部屋が汚れている状態を割り当てられない場合、この部屋は現在占有されている。部屋が占有されているに応じて、中央監視局は、現在の部屋の状態を判断し続ける又はステップ１１２において次の部屋の状態を判断するために移動する。制御器は、これらステップ９４から１１２を実行するようにプログラムされる処理器である又はその処理器を含んでいる。
【００４１】
図５は、部屋監視システムの動作を表す。ステップ１２０において、室内ユニットは、部屋に置いている１つ以上のセンサから清掃情報を受信する。ステップ１２２において、中央監視局又は室内ユニットは、部屋にある前記１つ以上のセンサの各々に対する状態を決定する。ステップ１２４において、中央監視局又は室内ユニットは少なくとも１つのセンサが汚れている状態を割り当てたか判断する。前記センサの何れもが汚れている状態を割り当てないとの判断に応じて、ステップ１２６において、この部屋はきれいな状態を割り当てられる。前記センサの少なくとも１つが汚れている状態を割り当てられたのに応じて、ステップ１２８において、中央監視局又は室内ユニットは患者のＩＤがその部屋と関連付けられているか判断する。患者のＩＤがその部屋と関連付けられていない場合、ステップ１３０において、汚れている状態が割り当てられる。患者のＩＤがその部屋と関連付けられているに応じて、ステップ１３２において、中央監視局又は室内ユニットは同じＩＤがその部屋の中にある医療機器と関連付けられているか判断する。その部屋と関連付けられる患者のＩＤがその部屋にある医療機器と関連付けられる患者のＩＤと異なっているのに応じて、ステップ１３４において、この医療機器及び部屋は汚れている状態を割り当てられる。その部屋と関連付けられる患者のＩＤがその部屋にある医療機器と関連付けられる患者のＩＤと同じであるのに応じて、ステップ１３６において、中央監視局又は室内ユニットは、その患者のＩＤが既定の時間、その医療機器と関連付けられていたか、又はその装置が生理学的データを生成したか判断する。ステップ１３８において、患者のＩＤが既定の時間、その医療機器と関連付けられている場合、医療機器及び部屋は、汚れている状態を割り当てられる。患者のＩＤが既定の時間よりも短い間、医療機器と関連付けられているのに応じて、ステップ１４０において、医療機器及び部屋は、占有されている又は使用の状態を割り当てられる。中央監視局又は室内ユニットは、これらステップ１２０から１４０を実行するようにプログラムされる処理器である又はその処理器を含んでいる。
【００４２】
本発明は、好ましい実施例を参照して説明されている。上記明細書を読み、理解すると修正案及び代替案が思い浮かぶことがある。本発明は、このような修正案及び代替案の全てが添付の特許請求の範囲又はそれに相当するものに入っている限りにおいて、これら修正案及び代替案の全てを含んでいると考えられることを意味している。
【図１】
0005906187.tif 000002
【図２】
0005906187.tif 000003
【図３】
0005906187.tif 000004
【図４】
0005906187.tif 000005
【図５】
0005906187.tif 000006